(57)【要約】【課題】特定範囲の領域に存在する移動局のみに情報の公開を限定することができるような情報公開システムを提供する。【解決手段】移動局１２は、公開範囲情報を入力する入力手段１０１と、移動局１２の位置情報を定期的に検出する位置情報検出手段１０２と、前記公開範囲情報と前記位置情報を基地局１１及びネットワーク１３を介してサーバ１４に送信する移動局無線手段１０３とを備えている。サーバ１４は、移動局無線手段１０３からの前記公開範囲情報より対応する公開範囲位置情報を取得する公開範囲位置情報取得手段１０４と、前記公開範囲位置情報と前記位置情報により移動局１２が公開範囲に存在しているか否かを判定する範囲内判定手段１０５と、移動局１２が前記公開範囲に存在している場合にのみ移動局１２に対して情報を公開する公開情報蓄積手段１０６とを備えている。【選択図】      図１
2004328130.tif 000002
【特許請求の範囲】
【請求項１】
移動局に対してネットワーク及び基地局を介してサーバから情報を公開する情報公開システムにおいて、
前記移動局は、
ユーザが公開を要望する範囲情報を入力する入力手段と、
前記移動局の位置情報を定期的に検出する位置情報検出手段と、
前記入力手段で入力された範囲情報と前記位置情報検出手段で検出された位置情報を前記基地局及び前記ネットワークを介して前記サーバに送信する移動局無線手段とを備え、
前記サーバは、
前記移動局の移動局無線手段からの前記範囲情報より対応する公開範囲位置情報を取得する公開範囲位置情報取得手段と、
前記公開範囲位置情報取得手段で取得された公開範囲位置情報と前記位置情報により前記移動局が前記ユーザが公開を要望する公開範囲に存在しているか否かを判定する範囲内判定手段と、
前記移動局が前記公開範囲に存在している場合にのみ前記移動局に対して情報を公開する公開情報蓄積手段とを備えたことを特徴とする情報公開システム。
【請求項２】
前記位置情報は空間位置情報であることを特徴とする請求項１に記載の情報公開システム。
【請求項３】
前記移動局の入力手段は直接公開範囲位置情報を入力する公開範囲位置情報入力手段であることを特徴とする請求項１に記載の情報公開システム。
【請求項４】
前記公開範囲位置情報取得手段と、前記範囲内判定手段と、前記公開情報蓄積手段とが前記移動局内に含まれることを特徴とする請求項１に記載の情報公開システム。
【請求項５】
前記移動局は、
ユーザからの公開情報と前記移動局の位置情報を入力する位置指定公開情報入力手段を備え、
前記サーバは、
位置指定公開情報を各移動局より受信して蓄積する位置指定公開情報蓄積手段と、
前記位置指定公開情報蓄積手段の位置指定公開情報の中から他の移動局の位置に対応する情報を検索する位置指定公開情報検索手段と、
該当位置にある他の移動局に前記位置指定公開情報検索手段で検索された位置指定公開情報を送信する位置指定公開情報送信手段とを備えたことを特徴とする請求項１に記載の情報公開システム。
【請求項６】
前記位置指定公開情報に加え時間指定公開情報を用い、その時間に情報を公開することを特徴とする請求項５に記載の情報公開システム。
【請求項７】
前記サーバは、
前記移動局が前記公開範囲に存在している場合にのみ、前記公開範囲内で使用可能なローカルメールアドレスと、前記公開範囲に存在している他の移動局のローカルメールアドレスとをユーザに送信するローカルメールアドレス送出手段と、
ローカルメールアドレスを蓄積するローカルメールアドレス蓄積手段とを備えたことを特徴とする請求項１に記載の情報公開システム。
【請求項８】
前記サーバは、
前記移動局が前記公開範囲に存在している場合にのみ、前記公開範囲内での使用及びアクセス可能なローカルＵＲＬアドレスと、前記公開範囲に存在している他の移動局のローカルＵＲＬアドレスをユーザに送信するローカルＵＲＬアドレス送出手段と、
ローカルＵＲＬアドレスを蓄積するローカルＵＲＬアドレス蓄積手段とを備えたことを特徴とする請求項１に記載の情報公開システム。
【請求項９】
前記移動局は、
前記位置情報検出手段の代わりに、前記移動局の明暗、温度、音情報を検出する明暗、温度、音情報検出手段を備え、
前記サーバは、
前記公開範囲位置情報取得手段の代わりに、各移動局の明暗、温度、音情報の数値情報を取得する公開範囲、明暗、温度、音情報取得手段と、
前記範囲内判定手段の代わりに、各移動局の明暗、温度、音情報の数値情報により、範囲内に存在しているか否かを判定する範囲内判定手段とを備えたことを特徴とする請求項１に記載の情報公開システム。
【請求項１０】
前記移動局は、
ユーザからの位置情報サービス要求とユーザＩＤを入力する位置情報サービス要求入力手段を備え、
前記サーバは、
前記移動局が位置情報サービスを受けられる範囲に存在しているか否かを監視し、範囲内に存在している場合に前記公開情報蓄積手段の情報を公開し、提供できる位置情報サービスを知らせる位置情報サービス移動局管理手段と、
前記移動局の現在位置で提供できるサービスを当該移動局に通知する位置情報サービス通知手段とを備えたことを特徴とする請求項１に記載の情報公開システム。
【請求項１１】
前記移動局は、
空間での公開範囲情報と前記移動局の位置を地図や撮影画像にマッピングする公開空間範囲位置情報マッピング手段と、
地図や撮影画像に前記公開範囲情報と前記移動局の位置をマッピングした画像を当該移動局に提示するマッピング画像出力手段とを備えたことを特徴とする請求項１に記載の情報公開システム。
【請求項１２】
前記移動局の入力手段では、ユーザが公開を要望する範囲情報のほか属性情報も入力することを特徴とする請求項１に記載の情報公開システム。
【発明の詳細な説明】
【０００１】
【発明の属する技術分野】
本発明は、移動局に対してネットワーク及び基地局を介してサーバから情報を公開する情報公開システムに関する。
【０００２】
【従来の技術】
従来より、アクセス権などで情報の公開方法や公開範囲を限定する情報公開システムが知られている。そして、そのほとんどは、情報を検索条件を設けて絞り込むものである。また、移動局の位置情報についても同様であり、検索条件を設けて情報を提供するものが多い。
【０００３】
この種の情報公開システムとして、例えば、特許文献１に開示されたような情報提供サービスシステムが知られている。この情報提供サービスシステムでは、ユーザの端末位置情報等から所定距離範囲にあるビルに関する情報や、視界内の特定のビル内の店舗のサービス情報などを検索して取得することができる。また、ユーザの移動方向の情報を、端末の空間位置情報から検索して取得することができる。
【０００４】
【特許文献１】
特開２００２−１３２８０６号公報
【０００５】
【発明が解決しようとする課題】
しかしながら、上述したような従来の情報公開システムは、携帯端末等の移動局が存在する位置情報等からその地域に関連する情報を検索して提供するものであり、特定範囲の領域（地域の区画や川沿い、山間部など指定した領域）にある移動局のみに情報の公開を限定することはできない。また、指定した位置や範囲、時間帯に存在する移動局のみに指定した情報を提供することはできない。
【０００６】
本発明は、このような実情に鑑みてなされたものであり、特定範囲の領域に存在する移動局のみに情報の公開を限定することができるような情報公開システムを提供することを目的とする。
【０００７】
【課題を解決するための手段】
請求項１に係る発明の情報公開システムは、移動局に対してネットワーク及び基地局を介してサーバから情報を公開する情報公開システムにおいて、前記移動局は、ユーザが公開を要望する範囲情報を入力する入力手段と、前記移動局の位置情報を定期的に検出する位置情報検出手段と、前記入力手段で入力された範囲情報と前記位置情報検出手段で検出された位置情報を前記基地局及び前記ネットワークを介して前記サーバに送信する移動局無線手段とを備え、前記サーバは、前記移動局の移動局無線手段からの前記範囲情報より対応する公開範囲位置情報を取得する公開範囲位置情報取得手段と、前記公開範囲位置情報取得手段で取得された公開範囲位置情報と前記位置情報により前記移動局が前記ユーザが公開を要望する公開範囲に存在しているか否かを判定する範囲内判定手段と、前記移動局が前記公開範囲に存在している場合にのみ前記移動局に対して情報を公開する公開情報蓄積手段とを備えたことを特徴とする。
【０００８】
この構成によれば、移動局が公開範囲に存在している場合にのみ当該移動局に対して情報を公開するようにしているため、特定範囲の領域に存在する移動局のみに情報の公開を限定することができる。
【０００９】
請求項２に係る発明の情報公開システムは、請求項１に係る発明の情報公開システムにおいて、前記位置情報は空間位置情報であることを特徴とする。
【００１０】
この構成によれば、位置情報を空間位置情報としているため、特定空間範囲の領域に存在する移動局のみに情報の公開を限定することができる。
【００１１】
請求項３に係る発明の情報公開システムは、請求項１に係る発明の情報公開システムにおいて、前記移動局の入力手段は直接公開範囲位置情報を入力する公開範囲位置情報入力手段であることを特徴とする。
【００１２】
この構成によれば、移動局の入力手段を直接公開範囲位置情報を入力する公開範囲位置情報入力手段としているため、サーバ側で公開範囲位置情報を取得することは不要となる。
【００１３】
請求項４に係る発明の情報公開システムは、請求項１に係る発明の情報公開システムにおいて、前記公開範囲位置情報取得手段と、前記範囲内判定手段と、前記公開情報蓄積手段とが前記移動局内に含まれることを特徴とする。
【００１４】
この構成によれば、公開範囲位置情報取得手段と、範囲内判定手段と、公開情報蓄積手段とを移動局内に設けるようにしているため、特定範囲の領域に存在する移動局同士の間でのみに情報の交換を限定することができる。
【００１５】
請求項５に係る発明の情報公開システムは、請求項１に係る発明の情報公開システムにおいて、前記移動局は、ユーザからの公開情報と前記移動局の位置情報を入力する位置指定公開情報入力手段を備え、前記サーバは、位置指定公開情報を各移動局より受信して蓄積する位置指定公開情報蓄積手段と、前記位置指定公開情報蓄積手段の位置指定公開情報の中から他の移動局の位置に対応する情報を検索する位置指定公開情報検索手段と、該当位置にある他の移動局に前記位置指定公開情報検索手段で検索された位置指定公開情報を送信する位置指定公開情報送信手段とを備えたことを特徴とする。
【００１６】
この構成によれば、他の移動局に位置指定公開情報検索手段で検索された位置指定公開情報を送信するようにしているため、他の移動局にて指定された位置や領域で情報を取得することが可能となる。
【００１７】
請求項６に係る発明の情報公開システムは、請求項５に係る発明の情報公開システムにおいて、前記位置指定公開情報に加え時間指定公開情報を用い、その時間に情報を公開することを特徴とする。
【００１８】
この構成によれば、位置指定公開情報に加え時間指定公開情報を用いるようにしているため、特定の時間に情報の公開を限定することができる。
【００１９】
請求項７に係る発明の情報公開システムは、請求項１に係る発明の情報公開システムにおいて、前記サーバは、前記移動局が前記公開範囲に存在している場合にのみ、前記公開範囲内で使用可能なローカルメールアドレスと、前記公開範囲に存在している他の移動局のローカルメールアドレスとをユーザに送信するローカルメールアドレス送出手段と、ローカルメールアドレスを蓄積するローカルメールアドレス蓄積手段とを備えたことを特徴とする。
【００２０】
この構成によれば、ローカルメールアドレスを送信・蓄積するようにしているため、特定範囲の領域に存在する移動局同士の間でのみにローカルメールアドレスを用いた情報の交換を限定することができる。
【００２１】
請求項８に係る発明の情報公開システムは、請求項１に係る発明の情報公開システムにおいて、前記サーバは、前記移動局が前記公開範囲に存在している場合にのみ、前記公開範囲内での使用及びアクセス可能なローカルＵＲＬアドレスと、前記公開範囲に存在している他の移動局のローカルＵＲＬアドレスをユーザに送信するローカルＵＲＬアドレス送出手段と、ローカルＵＲＬアドレスを蓄積するローカルＵＲＬアドレス蓄積手段とを備えたことを特徴とする。
【００２２】
この構成によれば、ローカルＵＲＬアドレスを送信・蓄積するようにしているため、特定範囲の領域に存在する移動局同士の間でのみにローカルＵＲＬアドレスを用いたホームページ等の情報の交換を限定することができる。
【００２３】
請求項９に係る発明の情報公開システムは、請求項１に係る発明の情報公開システムにおいて、前記移動局は、前記位置情報検出手段の代わりに、前記移動局の明暗、温度、音情報を検出する明暗、温度、音情報検出手段を備え、前記サーバは、前記公開範囲位置情報取得手段の代わりに、各移動局の明暗、温度、音情報の数値情報を取得する公開範囲、明暗、温度、音情報取得手段と、前記範囲内判定手段の代わりに、各移動局の明暗、温度、音情報の数値情報により、範囲内に存在しているか否かを判定する範囲内判定手段とを備えたことを特徴とする。
【００２４】
この構成によれば、明暗、温度、音情報を用いるようにしているため、これらの情報に係る特定範囲の領域に存在する移動局のみに情報の公開を限定することができる。
【００２５】
請求項１０に係る発明の情報公開システムは、請求項１に係る発明の情報公開システムにおいて、前記移動局は、ユーザからの位置情報サービス要求とユーザＩＤを入力する位置情報サービス要求入力手段を備え、前記サーバは、前記移動局が位置情報サービスを受けられる範囲に存在しているか否かを監視し、範囲内に存在している場合に前記公開情報蓄積手段の情報を公開し、提供できる位置情報サービスを知らせる位置情報サービス移動局管理手段と、前記移動局の現在位置で提供できるサービスを当該移動局に通知する位置情報サービス通知手段とを備えたことを特徴とする。
【００２６】
この構成によれば、移動局にてユーザからの位置情報サービス要求とユーザＩＤを入力するようにしているため、特定範囲の領域に存在する移動局のみにその位置に関係したサービスの提供を限定することができる。
【００２７】
請求項１１に係る発明の情報公開システムは、請求項１に係る発明の情報公開システムにおいて、前記移動局は、空間での公開範囲情報と前記移動局の位置を地図や撮影画像にマッピングする公開空間範囲位置情報マッピング手段と、地図や撮影画像に前記公開範囲情報と前記移動局の位置をマッピングした画像を当該移動局に提示するマッピング画像出力手段とを備えたことを特徴とする。
【００２８】
この構成によれば、空間での公開範囲情報と移動局の位置を地図や撮影画像にマッピングするようにしているため、情報を公開している範囲を移動局に提示することができる。
【００２９】
請求項１２に係る発明の情報公開システムは、請求項１に係る発明の情報公開システムにおいて、前記移動局の入力手段では、ユーザが公開を要望する範囲情報のほか属性情報も入力することを特徴とする。
【００３０】
この構成によれば、移動局の入力手段にてユーザが公開を要望する範囲情報のほか属性情報も入力するようにしているため、公開する情報を属性情報を使用しても限定することができる。
【００３１】
【発明の実施の形態】
以下、本発明の実施の形態について図面を参照しながら詳細に説明する。
【００３２】
（第１実施形態）
図１は、本発明の第１実施形態に係る情報公開システムの概略構成を示すブロック図である。図１において、第１実施形態に係る情報公開システムは、基地局１１と、基地局１１と無線通信する移動局１２と、基地局１１と接続されたネットワーク１３と、ネットワーク１３に接続されたサーバ１４と、を備えている。この情報公開システムは、移動局１２に対してネットワーク１３及び基地局１１を介してサーバ１４から情報を公開するものである。
【００３３】
移動局１２は、ユーザが公開を要望する範囲情報を入力する入力部１０１と、移動局１２の位置情報を定期的に検出する位置情報検出部１０２と、入力部１０１で入力された範囲情報と位置情報検出部１０２で検出された位置情報を基地局１１及びネットワーク１３を介してサーバ１４に送信する移動局無線部１０３と、を備えている。
【００３４】
サーバ１４は、移動局１２の移動局無線部１０３からの前記範囲情報と前記位置情報により対応する公開範囲位置情報を取得する公開範囲位置情報取得部１０４と、公開範囲位置情報取得部１０４で取得された公開範囲位置情報により移動局１２が前記ユーザが公開を要望する公開範囲に存在しているか否かを判定する範囲内判定部１０５と、移動局１２が前記公開範囲に存在している場合にのみ移動局１２に対して情報を公開する公開情報蓄積部１０６と、を備えている。
【００３５】
次に、以上のように構成された第１実施形態に係る情報公開システムの動作について、図２に示すフローチャートに基づいて説明する。まず、ユーザが入力部１０１により公開を要望する公開範囲情報を入力する（ステップ２０１）。位置情報検出部１０２は、移動局１２の位置情報を検出し、定期的に移動局無線部１０３へ送出する（ステップ２０２）。移動局無線部１０３は、ステップ２０１で入力した公開範囲情報とステップ２０２で検出した位置情報を基地局１１へ送信する（ステップ２０３）。基地局１１は、受信した移動局１２からの公開範囲情報及び位置情報をネットワーク１３へ送信する（ステップ２０４）。ネットワーク１３は、これらの公開範囲情報及び位置情報をサーバ１４へ送信する（ステップ２０５）。
【００３６】
公開範囲位置情報取得部１０４は、受信したネットワーク１３からの公開範囲情報及び位置情報により対応する公開範囲位置情報を取得する（ステップ２０６）。範囲内判定部１０５は、公開範囲位置情報取得部１０４で取得された公開範囲位置情報により移動局１２がユーザが公開を要望する公開範囲に存在しているか否かを判定する（ステップ２０７）。ステップ２０７において、移動局１２が公開範囲に存在していると判定された場合、公開情報蓄積部１０６は、移動局１２に対して公開情報のアクセスを許可し、情報を公開する（ステップ２０８）。一方、ステップ２０７において、移動局１２が公開範囲に存在していないと判定された場合、公開情報蓄積部１０６は、移動局１２に対して公開情報のアクセスを許可しないようにする（ステップ２０９）。
【００３７】
図３は、第１実施形態における情報公開範囲のイメージ図である。図３に示すように、範囲Ａ内に存在する移動局１２１に対しては情報を公開するが、範囲Ａ以外に存在する移動局１２２に対しては情報を公開せず、公開情報へのアクセスを許可しない。
【００３８】
このように、第１実施形態では、特定の範囲内に存在する移動局のみに情報を公開する。これにより、特定範囲の領域に存在する移動局のみに情報の公開を限定することができる。例えば、図３（ａ），（ｂ）に示すように、特定の領域、四角、三角領域や川沿い、海辺、建物、イベント会場などの領域に存在する移動局のみにローカルに情報を公開することができる。
【００３９】
（第２実施形態）
図４は、本発明の第２実施形態に係る情報公開システムの概略構成を示すブロック図である。第２実施形態に係る情報公開システムは、図１に示した第１実施形態に係る情報公開システムの構成において、位置情報検出部１０２の代わりに、移動局１２の空間位置情報を定期的に検出する空間位置情報検出部４０１を設け、また公開範囲位置情報取得部１０４の代わりに、移動局１２の移動局無線部１０３からの空間範囲情報と空間位置情報により対応する公開空間範囲位置情報を取得する公開空間範囲位置情報取得部４０２を設け、更に範囲内判定部１０５の代わりに、公開空間範囲位置情報取得部４０２で取得された公開空間範囲位置情報により移動局１２がユーザが公開を要望する公開空間範囲に存在しているか否かを判定する空間範囲内判定部４０３を設けたものである。なお、図１に示した第１実施形態に係る情報公開システムと対応する各部には、同一の参照符号を付してその説明を省略する。
【００４０】
次に、以上のように構成された第２実施形態に係る情報公開システムの動作について、図５に示すフローチャートに基づいて説明する。まず、ユーザが入力部１０１により公開を要望する公開範囲情報を入力する（ステップ５０１）。空間位置情報検出部４０１は、移動局１２の空間位置情報を検出し、定期的に移動局無線部１０３へ送出する（ステップ５０２）。移動局無線部１０３は、ステップ５０１で入力した公開範囲情報とステップ５０２で検出した空間位置情報を基地局１１へ送信する（ステップ５０３）。基地局１１は、受信した移動局１２からの公開範囲情報及び空間位置情報をネットワーク１３へ送信する（ステップ５０４）。ネットワーク１３は、これらの公開範囲情報及び空間位置情報をサーバ１４へ送信する（ステップ５０５）。
【００４１】
公開空間範囲位置情報取得部４０２は、受信したネットワーク１３からの公開範囲情報及び空間位置情報により対応する公開空間範囲位置情報を取得する（ステップ５０６）。空間範囲内判定部４０３は、公開空間範囲位置情報取得部４０２で取得された公開空間範囲位置情報により移動局１２がユーザが公開を要望する公開空間範囲に存在しているか否かを判定する（ステップ５０７）。ステップ５０７において、移動局１２が公開空間範囲に存在していると判定された場合、公開情報蓄積部１０６は、移動局１２に対して公開情報のアクセスを許可し、情報を公開する（ステップ５０８）。一方、ステップ５０７において、移動局１２が公開空間範囲に存在していないと判定された場合、公開情報蓄積部１０６は、移動局１２に対して公開情報のアクセスを許可しないようにする（ステップ５０９）。
【００４２】
図６は、第２実施形態における情報公開範囲のイメージ図である。図６に示すように、空間範囲Ａ内に存在する移動局１２１に対しては情報を公開するが、空間範囲Ａ以外に存在する移動局１２２に対しては情報を公開せず、公開情報へのアクセスを許可しない。
【００４３】
このように、第２実施形態では、特定の空間範囲内に存在する移動局のみに情報を公開する。これにより、特定空間範囲の領域に存在する移動局のみに情報の公開を限定することができる。例えば、図６に示すように、特定の空間領域、建物の２階や、山の上などの空間領域に存在する移動局のみにローカルに情報を公開することができる。
【００４４】
（第３実施形態）
図７は、本発明の第３実施形態に係る情報公開システムの概略構成を示すブロック図である。第３実施形態に係る情報公開システムは、図１に示した第１実施形態に係る情報公開システムの構成において、入力部１０１の代わりに、直接公開範囲位置情報を入力する公開範囲位置情報入力部７０１を設けたものである。なお、図１に示した第１実施形態に係る情報公開システムと対応する各部には、同一の参照符号を付してその説明を省略する。
【００４５】
次に、以上のように構成された第３実施形態に係る情報公開システムの動作について、図８に示すフローチャートに基づいて説明する。まず、ユーザが公開範囲位置情報入力部７０１により直接公開範囲位置情報を入力する（ステップ８０１）。位置情報検出部１０２は、移動局１２の位置情報を検出し、定期的に移動局無線部１０３へ送出する（ステップ８０２）。移動局無線部１０３は、ステップ８０１で入力した公開範囲位置情報とステップ８０２で検出した位置情報を基地局１１へ送信する（ステップ８０３）。基地局１１は、受信した移動局１２からの公開範囲位置情報及び位置情報をネットワーク１３へ送信する（ステップ８０４）。ネットワーク１３は、これらの公開範囲位置情報及び位置情報をサーバ１４へ送信する（ステップ８０５）。
【００４６】
範囲内判定部１０５は、受信した公開範囲位置情報により移動局１２がユーザが公開を要望する公開範囲に存在しているか否かを判定する（ステップ８０６）。ステップ８０６において、移動局１２が公開範囲に存在していると判定された場合、公開情報蓄積部１０６は、移動局１２に対して公開情報のアクセスを許可し、情報を公開する（ステップ８０７）。一方、ステップ８０６において、移動局１２が公開範囲に存在していないと判定された場合、公開情報蓄積部１０６は、移動局１２に対して公開情報のアクセスを許可しないようにする（ステップ８０８）。
【００４７】
図９は、第３実施形態における情報公開範囲のイメージ図である。図９に示すように、三角や丸などの領域のみに情報を公開する範囲を指定することができる。
【００４８】
このように、第３実施形態では、特定の位置領域内のみに情報を公開する。これにより、特定の位置領域内のみに情報の公開を限定することができる。
【００４９】
（第４実施形態）
図１０は、本発明の第４実施形態に係る情報公開システムの移動局の概略構成を示すブロック図である。第４実施形態に係る情報公開システムは、図１に示した第１実施形態に係る情報公開システムの構成において、入力部１０１と、位置情報検出部１０２と、移動局無線部１０３に加えて、公開範囲位置情報取得部１０４と、範囲内判定部１０５と、公開情報蓄積部１０６を移動局１２内に設けたものである。なお、図１に示した第１実施形態に係る情報公開システムと対応する各部には、同一の参照符号を付してその説明を省略する。
【００５０】
次に、以上のように構成された第４実施形態に係る情報公開システムの動作について、図１１に示すフローチャートに基づいて説明する。まず、ユーザが入力部１０１により公開を要望する公開範囲情報を入力する（ステップ１１０１）。位置情報検出部１０２は、移動局１２の位置情報を検出し、定期的に移動局無線部１０３へ送出する（ステップ１１０２）。移動局無線部１０３は、ステップ１１０１で入力した公開範囲情報とステップ１１０２で検出した位置情報を公開範囲位置情報取得部１０４へ送信する（ステップ１１０３）。
【００５１】
公開範囲位置情報取得部１０４は、受信した移動局無線部１０３からの公開範囲情報及び位置情報により対応する公開範囲位置情報を取得する（ステップ１１０４）。範囲内判定部１０５は、公開範囲位置情報取得部１０４で取得された公開範囲位置情報により移動局１２がユーザが公開を要望する公開範囲に存在しているか否かを判定する（ステップ１１０５）。ステップ１１０５において、移動局１２が公開範囲に存在していると判定された場合、公開情報蓄積部１０６は、移動局１２に対して公開情報のアクセスを許可し、情報を公開する（ステップ１１０６）。一方、ステップ１１０５において、移動局１２が公開範囲に存在していないと判定された場合、公開情報蓄積部１０６は、移動局１２に対して公開情報のアクセスを許可しないようにする（ステップ１１０７）。
【００５２】
図１２は、第４実施形態における情報公開範囲のイメージ図である。図１２に示すように、範囲Ａ内に存在する移動局１２１と移動局１２２との間で情報（情報Ａ，情報Ｂ）を交換することができる。例えば、あるイベント会場に集まった人の間でのみ、ある電車の中にいる人の間でのみなど種々の状況において情報の交換が可能である。
【００５３】
このように、第４実施形態では、特定の範囲内に存在する移動局同士のみで情報を交換することができる。これにより、特定範囲の領域に存在する移動局同士のみに情報の交換を限定することができる。
【００５４】
（第５実施形態）
図１３は、本発明の第５実施形態に係る情報公開システムの概略構成を示すブロック図である。第５実施形態に係る情報公開システムは、図１に示した第１実施形態に係る情報公開システムの構成において、入力部１０１の代わりに、ユーザからの公開情報と移動局１２の位置情報を入力する位置指定公開情報入力部１３０１を設け、また公開情報蓄積部１０６の代わりに、位置指定公開情報を各移動局より受信して蓄積する位置指定公開情報蓄積部１３０４を設け、更に範囲内判定部１０５の代わりに、位置指定公開情報蓄積部１３０４の位置指定公開情報の中から他の移動局の位置に対応する情報を検索する位置指定公開情報検索部１３０３を設け、更にまた公開範囲位置情報取得部１０４の代わりに、該当位置にある他の移動局に位置指定公開情報検索部１３０３で検索された位置指定公開情報を送信する位置指定公開情報送信部１３０２を設けたものである。また、移動局群１５は移動局１２以外の他の移動局である。なお、図１に示した第１実施形態に係る情報公開システムと対応する各部には、同一の参照符号を付してその説明を省略する。
【００５５】
次に、以上のように構成された第５実施形態に係る情報公開システムの動作について、図１４に示すフローチャートに基づいて説明する。まず、ユーザが位置指定公開情報入力部１３０１により公開情報を入力し、位置情報検出部１０２をキックする（ステップ１４０１）。位置情報検出部１０２は、移動局１２の位置情報を検出し、位置指定公開情報入力部１３０１に渡す（ステップ１４０２）。位置指定公開情報入力部１３０１は、公開情報に位置情報を付加して位置指定公開情報として移動局無線部１０３へ渡す（ステップ１４０３）。移動局無線部１０３は、位置指定公開情報を基地局１１へ送信する（ステップ１４０４）。基地局１１は、受信した位置指定公開情報をネットワーク１３へ送信する（ステップ１４０５）。ネットワーク１３は、その位置指定公開情報をサーバ１４へ送信する（ステップ１４０６）。
【００５６】
サーバ１４内の位置指定公開情報蓄積部１３０４は、受信した位置指定公開情報を蓄積する（ステップ１４０７）。位置指定公開情報検索部１３０３は、移動局群１５の位置で該当する位置指定公開情報が位置指定公開情報蓄積部１３０４にあるか否かを判定する（ステップ１４０８）。ステップ１４０８において、移動局群１５の位置で該当する位置指定公開情報が位置指定公開情報蓄積部１３０４にない場合、ある状態となるまで監視を続ける。一方、ステップ１４０８において、移動局群１５の位置で該当する位置指定公開情報が位置指定公開情報蓄積部１３０４にある場合、該当した位置指定公開情報を位置指定公開情報送信部１３０２へ渡す（ステップ１４０９）。位置指定公開情報送信部１３０２は、その位置指定公開情報を受信して、移動局群１５の内該当位置の移動局へ位置指定公開情報を送信する（ステップ１４１０）。
【００５７】
図１５は、第５実施形態における情報公開範囲のイメージ図である。図１５（ａ），（ｂ）に示すように、オリエンテーリングなどで情報を実際の場所に貼り付け（添付し）、次にその領域に入ったユーザがその情報を取得することができる。
【００５８】
このように、第５実施形態では、ユーザが公開したい情報を現実の位置に貼り付ける。これにより、その位置に来た他のユーザがその情報を入手することができる。
【００５９】
（第６実施形態）
図１６は、本発明の第６実施形態に係る情報公開システムの概略構成を示すブロック図である。第６実施形態に係る情報公開システムは、図１３に示した第５実施形態に係る情報公開システムの構成において、位置指定公開情報入力部１３０１の代わりに、位置時間指定公開情報入力部１６０１を設け、また位置指定公開情報送信部１３０２の代わりに、位置時間指定公開情報送信部１６０２を設け、更に位置指定公開情報検索部１３０３の代わりに、位置時間指定公開情報検索部１６０３を設け、更にまた位置指定公開情報蓄積部１３０４の代わりに、位置時間指定公開情報蓄積部１６０４を設けたものである。なお、図１３に示した第５実施形態に係る情報公開システムと対応する各部には、同一の参照符号を付してその説明を省略する。
【００６０】
次に、以上のように構成された第６実施形態に係る情報公開システムの動作について、図１７に示すフローチャートに基づいて説明する。まず、ユーザが位置時間指定公開情報入力部１６０１により公開情報と公開時間を入力し、位置情報検出部１０２をキックする（ステップ１７０１）。位置情報検出部１０２は、移動局１２の位置情報を検出し、位置時間指定公開情報入力部１６０１に渡す（ステップ１７０２）。位置時間指定公開情報入力部１６０１は、公開情報と公開時間に位置情報を付加して位置時間指定公開情報として移動局無線部１０３へ渡す（ステップ１７０３）。移動局無線部１０３は、位置時間指定公開情報を基地局１１へ送信する（ステップ１７０４）。基地局１１は、受信した位置時間指定公開情報をネットワーク１３へ送信する（ステップ１７０５）。ネットワーク１３は、その位置時間指定公開情報をサーバ１４へ送信する（ステップ１７０６）。
【００６１】
サーバ１４内の位置時間指定公開情報蓄積部１６０４は、受信した位置時間指定公開情報を蓄積する（ステップ１７０７）。位置時間指定公開情報検索部１６０３は、移動局群１５の位置で公開時間に該当する位置時間指定公開情報が位置時間指定公開情報蓄積部１６０４にあるか否かを判定する（ステップ１７０８）。ステップ１７０８において、移動局群１５の位置で公開時間に該当する位置時間指定公開情報が位置指定公開情報蓄積部１６０４にない場合、ある状態となるまで監視を続ける。一方、ステップ１７０８において、移動局群１５の位置で公開時間に該当する位置時間指定公開情報が位置指定公開情報蓄積部１６０４にある場合、該当した位置時間指定公開情報を位置時間指定公開情報送信部１６０２へ渡す（ステップ１７０９）。位置時間指定公開情報送信部１６０２は、その位置時間指定公開情報を受信して、移動局群１５の内該当位置で公開時間内の移動局へ位置時間指定公開情報を送信する（ステップ１７１０）。
【００６２】
図１８は、第６実施形態における情報公開範囲のイメージ図である。図１８（ａ），（ｂ）に示すように、オリエンテーリングなどで情報を実際の場所に貼り付け（添付し）、次に指定した時間帯にその領域に入ったユーザがその情報を取得することができる。例えば、特売期間、地域限定などにおける情報の公開が可能である。
【００６３】
このように、第６実施形態では、ユーザが公開したい情報を現実の位置に貼り付けて、指定した時間帯にのみ、その位置に来た他のユーザがその情報を入手することができる。これにより、情報を公開する範囲及び時間帯を限定することができる。
【００６４】
（第７実施形態）
図１９は、本発明の第７実施形態に係る情報公開システムの概略構成を示すブロック図である。第７実施形態に係る情報公開システムは、図１に示した第１実施形態に係る情報公開システムの構成において、移動局１２が公開範囲に存在している場合にのみ、公開範囲内で使用可能なローカルメールアドレスと、公開範囲に存在している他の移動局のローカルメールアドレスとを移動局１２のユーザに送信するローカルメールアドレス送出部１９０１を範囲内判定部１０５に接続し、公開情報蓄積部１０６の代わりに、ローカルメールアドレスを蓄積するローカルメールアドレス蓄積部１９０２を設けたものである。なお、図１に示した第１実施形態に係る情報公開システムと対応する各部には、同一の参照符号を付してその説明を省略する。
【００６５】
次に、以上のように構成された第７実施形態に係る情報公開システムの動作について、図２０に示すフローチャートに基づいて説明する。なお、図２０に示すフローチャートのステップ２００１〜ステップ２００６は、図２に示したフローチャートのステップ２０１〜ステップ２０６の処理と同様であるので、ここではその説明を省略する。ステップ２００６の次に、範囲内判定部１０５は、公開範囲位置情報取得部１０４で取得された公開範囲位置情報により移動局１２がユーザが公開を要望する公開範囲に存在しているか否かを判定する（ステップ２００７）。ステップ２００７において、移動局１２が公開範囲に存在していると判定された場合、ローカルメールアドレスの使用を許可し、ローカルメールアドレスが発行されていなければ、ローカルメールアドレス蓄積部１９０２とローカルメールアドレス送出部１９０１は、ユーザにローカルメールアドレスを発行するとともに、蓄積された他のユーザのローカルアドレスをユーザに送付する（ステップ２００８）。一方、ステップ２００７において、移動局１２が公開範囲に存在していないと判定された場合、ローカルメールアドレスが発行されていれば、ローカルメールアドレス蓄積部１９０２とローカルメールアドレス送出部１９０１は、使用を取り消し、発行されたローカルメールアドレスを取り消す（ステップ２００９）。
【００６６】
図２１は、第７実施形態における情報公開範囲のイメージ図である。図２１に示すように、ある範囲Ａにいるユーザ間でのみローカルメールアドレスを利用して通信することができる。例えば、あるイベントに参加したもの同士でローカルに生成されたメールアドレスを一時的に使用してやりとりが可能である。
【００６７】
このように、第７実施形態では、ある範囲にいるユーザ間でのみローカルメールアドレスを利用して通信することができる。
【００６８】
（第８実施形態）
図２２は、本発明の第８実施形態に係る情報公開システムの概略構成を示すブロック図である。第８実施形態に係る情報公開システムは、図１９に示した第７実施形態に係る情報公開システムの構成において、ローカルメールアドレス送出部１９０１の代わりに、移動局が公開範囲に存在している場合にのみ、公開範囲内での使用及びアクセス可能なローカルＵＲＬアドレスと、公開範囲に存在している他の移動局のローカルＵＲＬアドレスをユーザに送信するローカルＵＲＬアドレス送出部２２０１を設け、またローカルメールアドレス蓄積部１９０２の代わりに、ローカルＵＲＬアドレスを蓄積するローカルＵＲＬアドレス蓄積部２２０２を設けたものである。なお、図１９に示した第７実施形態に係る情報公開システムと対応する各部には、同一の参照符号を付してその説明を省略する。
【００６９】
次に、以上のように構成された第８実施形態に係る情報公開システムの動作について、図２３に示すフローチャートに基づいて説明する。なお、図２３に示すフローチャートのステップ２３０１〜ステップ２３０６は、図２に示したフローチャートのステップ２０１〜ステップ２０６の処理と同様であるので、ここではその説明を省略する。ステップ２３０６の次に、範囲内判定部１０５は、公開範囲位置情報取得部１０４で取得された公開範囲位置情報により移動局１２がユーザが公開を要望する公開範囲に存在しているか否かを判定する（ステップ２３０７）。ステップ２３０７において、移動局１２が公開範囲に存在していると判定された場合、ローカルＵＲＬアドレスのアクセスを許可し、ローカルＵＲＬアドレス蓄積部２２０２とローカルＵＲＬアドレス送出部２２０１は、蓄積されたローカルＵＲＬアドレスを移動局１２のユーザに送付する（ステップ２３０８）。一方、ステップ２３０７において、移動局１２が公開範囲に存在していないと判定された場合、ローカルＵＲＬアドレスのアクセスを取り消す（ステップ２３０９）。
【００７０】
図２４は、第８実施形態における情報公開範囲のイメージ図である。図２４に示すように、ある範囲Ａに存在する移動局１２１と移動局１２２との間でのみローカルＵＲＬアドレスを利用してホームページを公開することができる。例えば、携帯電話などにＷＥＢサーバを搭載し、かつホームページを保持したモバイルサーバからあるイベントに参加しているものだけに、そのページを公開することができる。
【００７１】
このように、第８実施形態では、ある範囲にいるユーザ間でのみローカルＵＲＬアドレスを利用してホームページを公開することができる。
【００７２】
（第９実施形態）
図２５は、本発明の第９実施形態に係る情報公開システムの概略構成を示すブロック図である。第９実施形態に係る情報公開システムは、図１に示した第１実施形態に係る情報公開システムの構成において、位置情報検出部１０２の代わりに、移動局１２の明暗、温度、音情報を検出する明暗、温度、音情報検出部２５０１を設け、また公開範囲位置情報取得部１０４の代わりに、各移動局の明暗、温度、音情報の数値情報を取得する公開範囲、明暗、温度、音情報取得部２５０２を設け、更に範囲内判定部１０５の代わりに、各移動局の明暗、温度、音情報の数値情報により、範囲内に存在しているか否かを判定する範囲内判定部２５０３を設けたものである。なお、図１に示した第１実施形態に係る情報公開システムと対応する各部には、同一の参照符号を付してその説明を省略する。
【００７３】
次に、以上のように構成された第９実施形態に係る情報公開システムの動作について、図２６に示すフローチャートに基づいて説明する。まず、ユーザが入力部１０１により公開を要望する公開範囲情報を入力する（ステップ２６０１）。明暗、温度、音情報検出部２５０１は、移動局１２の明暗、温度、音情報を検出し、定期的に移動局無線部１０３へ送出する（ステップ２６０２）。移動局無線部１０３は、ステップ２６０１で入力した公開範囲情報とステップ２６０２で検出した明暗、温度、音情報を基地局１１へ送信する（ステップ２６０３）。基地局１１は、受信した移動局１２からの公開範囲情報及び明暗、温度、音情報をネットワーク１３へ送信する（ステップ２６０４）。ネットワーク１３は、これらの公開範囲情報及び明暗、温度、音情報をサーバ１４へ送信する（ステップ２６０５）。
【００７４】
公開範囲明暗、温度、音情報取得部２５０２は、受信したネットワーク１３からの公開範囲情報及び明暗、温度、音情報により対応する実数値情報を取得する（ステップ２６０６）。範囲内判定部２５０３は、公開範囲明暗、温度、音情報取得部２５０２で取得された実数値情報により移動局１２の明暗、温度、音情報が公開範囲内であるか否かを判定する（ステップ２６０７）。ステップ２６０７において、移動局１２の明暗、温度、音情報が公開範囲内であると判定された場合、公開情報蓄積部１０６は、移動局１２に対して公開情報のアクセスを許可し、情報を公開する（ステップ２６０８）。一方、ステップ２６０７において、移動局１２の明暗、温度、音情報が公開範囲内でないと判定された場合、公開情報蓄積部１０６は、移動局１２に対して公開情報のアクセスを許可しないようにする（ステップ２６０９）。
【００７５】
図２７は、第９実施形態における情報公開範囲のイメージ図である。図２７に示すように、特定の明暗、温度、音の範囲内に存在する移動局のみに情報を公開することができる。例えば、夜のみに情報を公開したり、暑いときのみに情報を公開したり、騒音がする所や音楽がなっている所のみに情報を公開することができる。
【００７６】
このように、第９実施形態では、特定の明暗、温度、音の範囲内に存在する移動局のみに情報を公開する。これにより、特定の明暗、温度、音の範囲内に存在する移動局のみに情報の公開を限定することができる。
【００７７】
（第１０実施形態）
図２８は、本発明の第１０実施形態に係る情報公開システムの概略構成を示すブロック図である。第１０実施形態に係る情報公開システムは、図１に示した第１実施形態に係る情報公開システムの構成において、入力部１０１の代わりに、ユーザからの位置情報サービスとユーザＩＤを入力する位置情報サービス要求入力部２８０１を設け、またサーバ１４内に、移動局１２が位置情報サービスを受けられる範囲に存在しているか否かを監視し、範囲内に存在している場合に公開情報蓄積部１０６の情報を公開し、提供できる位置情報サービスを知らせる位置情報サービス移動局管理部２８０２と、移動局１２の現在位置で提供できるサービスを当該移動局に通知する位置情報サービス通知部２８０３を設けたものである。なお、図１に示した第１実施形態に係る情報公開システムと対応する各部には、同一の参照符号を付してその説明を省略する。
【００７８】
次に、以上のように構成された第１０実施形態に係る情報公開システムの動作について、図２９に示すフローチャートに基づいて説明する。まず、ユーザが位置情報サービス要求入力部２８０１により位置情報サービス要求とユーザＩＤを入力する（ステップ２９０１）。位置情報検出部１０２は、移動局１２の位置情報を検出し、定期的に移動局無線部１０３へ送出する（ステップ２９０２）。移動局無線部１０３は、ステップ２９０１で入力した位置情報サービス要求とユーザＩＤとステップ２９０２で検出した位置情報を基地局１１へ送信する（ステップ２９０３）。基地局１１は、受信した移動局１２からの位置情報サービス要求とユーザＩＤ及び位置情報をネットワーク１３へ送信する（ステップ２９０４）。ネットワーク１３は、これらの位置情報サービス要求とユーザＩＤ及び位置情報をサーバ１４へ送信する（ステップ２９０５）。
【００７９】
位置情報サービス移動局管理部２８０２は、受信した移動局１２の位置情報サービス要求とユーザＩＤを登録する（ステップ２９０６）。公開範囲位置情報取得部１０４及び範囲内判定部１０５は、移動局１２が位置情報サービスを提供している範囲に入っているか否かを判定する（ステップ２９０７）。ステップ２９０７において、移動局１２が位置情報サービスを提供している範囲に入っていると判定された場合、公開情報蓄積部１０６の情報を該当移動局に公開する（ステップ２９０８）。また、位置情報サービス通知部２８０３は、移動局１２の現在位置で受けられるサービスを通知する（ステップ２９０９）。一方、ステップ２９０７において、移動局１２が位置情報サービスを提供している範囲に入っていないと判定された場合、公開情報蓄積部１０６の情報へのアクセスを遮断する（ステップ２９１０）。
【００８０】
図３０は、第１０実施形態における情報公開範囲のイメージ図である。図３０に示すように、特定の位置領域Ａ内の移動局１２１はその位置に関係したサービスを享受することができるが、位置領域Ａ外の移動局１２２はその位置に関係したサービスを享受することができない。
【００８１】
このように、第１０実施形態では、特定の位置領域内の移動局のみがその位置に関係したサービスを享受することができる。これにより、ある位置に関係したサービスを享受できる移動局を限定することができる。
【００８２】
（第１１実施形態）
図３１は、本発明の第１１実施形態に係る情報公開システムの概略構成を示すブロック図である。第１１実施形態に係る情報公開システムは、図４に示した第２実施形態に係る情報公開システムの構成において、移動局１２に、空間での公開範囲情報と移動局１２の位置を地図や撮影画像にマッピングする公開空間範囲位置情報マッピング部３１０２と、地図情報を蓄積する地図部３１０３と、地図や撮影画像に公開範囲情報と移動局１２の位置をマッピングした画像を当該移動局に提示するマッピング画像出力部３１０４を設け、サーバ１４に、空間位置情報を送信する公開空間範囲位置情報送信部３１０１を設けたものである。なお、図４に示した第２実施形態に係る情報公開システムと対応する各部には、同一の参照符号を付してその説明を省略する。
【００８３】
次に、以上のように構成された第１１実施形態に係る情報公開システムの動作について、図３２に示すフローチャートに基づいて説明する。まず、図５に示したフローチャートのステップ５０１〜ステップ５０５までと同様な処理を行う（ステップ３２０１）。公開空間範囲位置情報取得部４０２は、公開範囲情報より対応する公開空間範囲位置情報を取得し、その公開空間範囲位置情報を公開空間範囲位置情報送信部３１０１へ渡す（ステップ３２０２）。次に、図５に示したフローチャートのステップ５０７〜ステップ５０９までと同様な処理を行い（ステップ３２０３）、処理を終了する。
【００８４】
ステップ３２０２において、公開空間範囲位置情報を公開空間範囲位置情報送信部３１０１へ渡した後、公開空間範囲位置情報送信部３１０１は、公開空間範囲位置情報を移動局１２に送信する（ステップ３２０４）。公開空間範囲位置情報マッピング部３１０２は、空間位置情報検出部４０１からの空間位置情報に対応した地図を地図部３１０３より取得して空間範囲情報をマッピングした地図を作成する。また、空間位置情報検出部４０１から移動局１２の現在位置を取得し、地図の範囲であれば同様にマッピングする（ステップ３２０５）。マッピング画像出力部３１０４は、情報公開されている範囲と移動局１２の位置が地図上にマッピングされたものを出力する（ステップ３２０６）。
【００８５】
図３３は、第１１実施形態における情報公開範囲のイメージ図である。図３３に示すように、仮想的な空間や領域に情報を貼り付け、それを実際の映像を表示するカメラに重ねて表示することで、カメラを通して見たときだけに、ある限定された領域のみに貼り付けられた情報を見つけて取得することができる。
【００８６】
このように、第１１実施形態では、ユーザの移動局の位置と情報の公開範囲（位置や平面上の範囲、空間上の範囲）を地図や撮影画像にマッピングして自身の移動局に提示することができる。
【００８７】
（第１２実施形態）
図３４は、本発明の第１２実施形態に係る情報公開システムの概略構成を示すブロック図である。第１２実施形態に係る情報公開システムは、図１９に示した第７実施形態に係る情報公開システムの構成において、入力部１０１の代わりに、ユーザが公開を要望する範囲情報のほか属性情報も入力する属性情報入力部３４０１を設けたものである。なお、図１９に示した第７実施形態に係る情報公開システムと対応する各部には、同一の参照符号を付してその説明を省略する。
【００８８】
次に、以上のように構成された第１２実施形態に係る情報公開システムの動作について、図３５に示すフローチャートに基づいて説明する。まず、ユーザが属性情報入力部３４０１により公開を要望する公開範囲情報と属性情報を入力する（ステップ３５０１）。位置情報検出部１０２は、移動局１２の位置情報を検出し、定期的に移動局無線部１０３へ送出する（ステップ３５０２）。移動局無線部１０３は、ステップ３５０１で入力した公開範囲情報と属性情報とステップ３５０２で検出した位置情報を基地局１１へ送信する（ステップ３５０３）。基地局１１は、受信した移動局１２からの公開範囲情報、位置情報及び属性情報をネットワーク１３へ送信する（ステップ３５０４）。ネットワーク１３は、これらの公開範囲情報、位置情報及び属性情報をサーバ１４へ送信する（ステップ３５０５）。
【００８９】
公開範囲位置情報取得部１０４は、受信したネットワーク１３からの公開範囲情報、位置情報及び属性情報により対応する公開範囲位置情報を取得する（ステップ３５０６）。範囲内判定部１０５は、公開範囲位置情報取得部１０４で取得された公開範囲位置情報により移動局１２がユーザが公開を要望する公開範囲に存在しているか否かを判定する（ステップ３５０７）。ステップ３５０７において、移動局１２が公開範囲に存在していると判定された場合、ローカルメールアドレスの使用を許可し、ローカルメールアドレスが発行されていなければ、ローカルメールアドレス蓄積部１９０２とローカルメールアドレス送出部１９０１は、ユーザにローカルメールアドレスを発行するとともに、蓄積された他のユーザで同じ属性を持ったローカルアドレスのみをユーザに送付する（ステップ３５０８）。一方、ステップ３５０７において、移動局１２が公開範囲に存在していないと判定された場合、ローカルメールアドレスが発行されていれば、ローカルメールアドレス蓄積部１９０２とローカルメールアドレス送出部１９０１は、使用を取り消し、発行されたローカルメールアドレスを取り消す（ステップ３５０９）。
【００９０】
図３６は、第１１実施形態における情報公開範囲のイメージ図である。図３６に示すように、ある属性Ａを持つユーザの移動局１２１が特定の位置領域Ａ内に存在するとき、その移動局１２１に対しては情報の公開が行われるが、属性Ａを持たない（属性Ｂを持つ）ユーザの移動局１２２が特定の位置領域Ａ内に存在しても、その移動局１２２に対しては情報の公開が行われない。例えば、Ａグループの人、スポーツをやっている人、サークルの仲間、タバコを吸う人、コーヒーが好きな人など、その領域にいる人でかつそのような属性を持つ人のみに情報を公開することができる。
【００９１】
このように、第１２実施形態では、ユーザが指定した属性情報により、情報を公開する。これにより、ユーザが指定した属性情報により、公開情報を限定することができる。
【００９２】
【発明の効果】
以上説明したように、本発明の情報公開システムによれば、移動局が公開範囲に存在している場合にのみ当該移動局に対して情報を公開するようにしているため、特定範囲の領域に存在する移動局のみに情報の公開を限定することができる。
【図面の簡単な説明】
【図１】本発明の第１実施形態に係る情報公開システムの概略構成を示すブロック図である。
【図２】本発明の第１実施形態に係る情報公開システムの動作を説明するためのフローチャートである。
【図３】本発明の第１実施形態における情報公開範囲のイメージ図である。
【図４】本発明の第２実施形態に係る情報公開システムの概略構成を示すブロック図である。
【図５】本発明の第２実施形態に係る情報公開システムの動作を説明するためのフローチャートである。
【図６】本発明の第２実施形態における情報公開範囲のイメージ図である。
【図７】本発明の第３実施形態に係る情報公開システムの概略構成を示すブロック図である。
【図８】本発明の第３実施形態に係る情報公開システムの動作を説明するためのフローチャートである。
【図９】本発明の第３実施形態における情報公開範囲のイメージ図である。
【図１０】本発明の第４実施形態に係る情報公開システムの概略構成を示すブロック図である。
【図１１】本発明の第４実施形態に係る情報公開システムの動作を説明するためのフローチャートである。
【図１２】本発明の第４実施形態における情報公開範囲のイメージ図である。
【図１３】本発明の第５実施形態に係る情報公開システムの概略構成を示すブロック図である。
【図１４】本発明の第５実施形態に係る情報公開システムの動作を説明するためのフローチャートである。
【図１５】本発明の第５実施形態における情報公開範囲のイメージ図である。
【図１６】本発明の第６実施形態に係る情報公開システムの概略構成を示すブロック図である。
【図１７】本発明の第６実施形態に係る情報公開システムの動作を説明するためのフローチャートである。
【図１８】本発明の第６実施形態における情報公開範囲のイメージ図である。
【図１９】本発明の第７実施形態に係る情報公開システムの概略構成を示すブロック図である。
【図２０】本発明の第７実施形態に係る情報公開システムの動作を説明するためのフローチャートである。
【図２１】本発明の第７実施形態における情報公開範囲のイメージ図である。
【図２２】本発明の第８実施形態に係る情報公開システムの概略構成を示すブロック図である。
【図２３】本発明の第８実施形態に係る情報公開システムの動作を説明するためのフローチャートである。
【図２４】本発明の第８実施形態における情報公開範囲のイメージ図である。
【図２５】本発明の第９実施形態に係る情報公開システムの概略構成を示すブロック図である。
【図２６】本発明の第９実施形態に係る情報公開システムの動作を説明するためのフローチャートである。
【図２７】本発明の第９実施形態における情報公開範囲のイメージ図である。
【図２８】本発明の第１０実施形態に係る情報公開システムの概略構成を示すブロック図である。
【図２９】本発明の第１０実施形態に係る情報公開システムの動作を説明するためのフローチャートである。
【図３０】本発明の第１０実施形態における情報公開範囲のイメージ図である。
【図３１】本発明の第１１実施形態に係る情報公開システムの概略構成を示すブロック図である。
【図３２】本発明の第１１実施形態に係る情報公開システムの動作を説明するためのフローチャートである。
【図３３】本発明の第１１実施形態における情報公開範囲のイメージ図である。
【図３４】本発明の第１２実施形態に係る情報公開システムの概略構成を示すブロック図である。
【図３５】本発明の第１２実施形態に係る情報公開システムの動作を説明するためのフローチャートである。
【図３６】本発明の第１２実施形態における情報公開範囲のイメージ図である。
【符号の説明】
１１  基地局
１２  移動局
１３  ネットワーク
１４  サーバ
１５  移動局群
１０１  入力部
１０２  位置情報検出部
１０３  移動局無線部
１０４  公開範囲位置情報取得部
１０５  範囲内判定部
１０６  公開情報蓄積部
４０１  空間位置情報検出部
４０２  公開空間範囲位置情報取得部
４０３  空間範囲内判定部
７０１  公開範囲位置情報入力部
１３０１  位置指定公開情報入力部
１３０２  位置指定公開情報送信部
１３０３  位置指定公開情報検索部
１３０４  位置指定公開情報蓄積部
１６０１  位置時間指定公開情報入力部
１６０２  位置時間指定公開情報送信部
１６０３  位置時間指定公開情報検索部
１６０４  位置時間指定公開情報蓄積部
１９０１  ローカルメールアドレス送出部
１９０２  ローカルメールアドレス蓄積部
２２０１  ローカルＵＲＬアドレス送出部
２２０２  ローカルＵＲＬアドレス蓄積部
２５０１  明暗、温度、音情報検出部
２５０２  公開範囲明暗、温度、音情報取得部
２５０３  範囲内判定部
２８０１  位置情報サービス要求入力部
２８０２  位置情報サービス移動局管理部
２８０３  位置情報サービス通信部
３１０１  公開空間範囲位置情報送信部
３１０２  公開空間範囲位置情報マッピング部
３１０３  地図部
３１０４  マッピング画像出力部
３４０１  属性情報入力部
【図１】
2004328130.tif 000003
【図２】
2004328130.tif 000004
【図３】
2004328130.tif 000005
【図４】
2004328130.tif 000006
【図５】
2004328130.tif 000007
【図６】
2004328130.tif 000008
【図７】
2004328130.tif 000009
【図８】
2004328130.tif 000010
【図９】
2004328130.tif 000011
【図１０】
2004328130.tif 000012
【図１１】
2004328130.tif 000013
【図１２】
2004328130.tif 000014
【図１３】
2004328130.tif 000015
【図１４】
2004328130.tif 000016
【図１５】
2004328130.tif 000017
【図１６】
2004328130.tif 000018
【図１７】
2004328130.tif 000019
【図１８】
2004328130.tif 000020
【図１９】
2004328130.tif 000021
【図２０】
2004328130.tif 000022
【図２１】
2004328130.tif 000023
【図２２】
2004328130.tif 000024
【図２３】
2004328130.tif 000025
【図２４】
2004328130.tif 000026
【図２５】
2004328130.tif 000027
【図２６】
2004328130.tif 000028
【図２７】
2004328130.tif 000029
【図２８】
2004328130.tif 000030
【図２９】
2004328130.tif 000031
【図３０】
2004328130.tif 000032
【図３１】
2004328130.tif 000033
【図３２】
2004328130.tif 000034
【図３３】
2004328130.tif 000035
【図３４】
2004328130.tif 000036
【図３５】
2004328130.tif 000037
【図３６】
2004328130.tif 000038